(57)【要約】【課題】コスト低減に資することができ、胴部と基箱の結合状態が安定であり、且つ、ゲーム機の背面に対する取り付け状態の安定なゲーム機用メダル補給シュートを提供する。【解決手段】ゲーム機用メダル補給シュート（１）は、複数部品が分解可能にネジ留めされて貫通する通路が形成された基箱(１０)と、前記通路の上端開口部に中空部が接続される胴部(１１)と、前記通路の他端開口部に設けられた吐出案内部(１２)と、前記基箱が固定されていてゲーム機の背面に着脱可能にネジ留めされる第１ブラケット(１３)と、前記胴部が固定されていて前記第1ブラケットにネジ止留めされる第２ブラケット（１４）を有する。【選択図】図１
0003151322.tif 000002
【実用新案登録請求の範囲】
【請求項１】
複数部品が分解可能にネジ留めされて貫通する通路が形成された基箱と、
前記通路の上端開口部に中空部が接続される胴部と、
前記通路の他端開口部に設けられた吐出案内部と、
前記基箱が固定されていてゲーム機の背面に着脱可能にネジ留めされる第１ブラケットと、
前記胴部が固定されていて前記第1ブラケットにネジ止留めされる第２ブラケットと、を有するゲーム機用メダル補給シュート。
【請求項２】
前記基箱は前記第１ブラケットにネジ留め固定されている、請求項１記載のゲーム機用メダル補給シュート。
【請求項３】
前記胴部は前記第２ブラケットにネジ留め又はスポット熔接により固定されている、請求項２記載のゲーム機用メダル補給シュート。
【考案の詳細な説明】
【技術分野】
【０００１】
本考案は、回胴式ゲーム機などの背面に取り付けてメダルを補給するためのゲーム機用メダル補給シュートに関する。
【背景技術】
【０００２】
ゲーム機用メダル補給シュートはゲーム機の背面に取り付けられ、メダル補給用の蛇腹管に接続された中空の胴部を有し、蛇腹管から胴部に受け入れたメダルをゲーム機内部の払い出しホッパーに補給するために用いられる。従来提供されているゲーム機用メダル補給シュートとして例えば意匠登録第８６７２８０号に係るメダル補給シュートがある。このメダル補給シュートは、概略L字型の基箱の上端開口部に胴部の下端が固定され、基箱の下端開口部に吐出案内部が設けられて構成され、蛇腹管から導入されたメダルを胴部から基箱に導き、吐出案内部から払い出しホッパーに供給する。
【先行技術文献】
【非特許文献】
【０００３】
【非特許文献１】意匠登録第８６７２８０号公報
【考案の概要】
【考案が解決しようとする課題】
【０００４】
ここで、上記従来のメダル補給シュートは、基箱が板金等によって一体的に形成され、胴部は基箱に枢着固定され、胴部と一体のブラケットをゲーム機の背面にネジ留めすることによって、メダル補給シュートをゲーム機の背面に取り付ける構造とされる。しかしながら、基箱が板金等によって一体的に形成される構造ではコスト高になり、また、胴部が基箱に枢着固定されているだけではその支持状態が不安定になる虞があり、更に、そのように基箱との支持状態が不安定になる虞にある胴部をゲーム機の背面にネジ留めする構造ではゲーム機の背面に対するメダル補給シュートそれ自体の取り付け状態が安定しない虞のあることが明らかにされた。
【０００５】
本考案の目的は、コスト低減に資することができ、胴部と基箱の結合状態が安定であり、且つ、ゲーム機の背面に対する取り付け状態の安定なゲーム機用メダル補給シュートを提供することにある。
【０００６】
本考案の前記並びにその他の目的と新規な特徴は本明細書の記述及び添付図面から明らかになるであろう。
【課題を解決するための手段】
【０００７】
本願において開示される考案のうち代表的なものの概要を簡単に説明すれば下記の通りである。
【０００８】
すなわち、本考案に係るゲーム機用メダル補給シュートは、複数部品が分解可能にネジ留めされて貫通する通路が形成された基箱と、前記通路の上端開口部に中空部が接続される胴部と、前記通路の他端開口部に設けられた吐出案内部と、前記基箱が固定されていてゲーム機の背面に着脱可能にネジ留めされる第１ブラケットと、前記胴部が固定されていて前記第1ブラケットにネジ止留めされる第２ブラケットと、を有する。
【０００９】
具体的な形態として、前記基箱は前記第１ブラケットにネジ留め固定され、また、前記胴部は前記第２ブラケットにネジ留め又はスポット熔接により固定されている。
【考案の効果】
【００１０】
本願において開示される考案のうち代表的なものによって得られる効果を簡単に説明すれば下記のとおりである。
【００１１】
すなわち、基箱は複数部品が分解可能にネジ留めされて形成されるからコスト低減に資することができ、基箱は第1ブラケットに固定され胴部は第２ブラケットにより第1ブラケットに固定されるから胴部と基箱の結合状態は安定であり、且つ、第1ブラケットがゲーム機本体にネジと留めされるからゲーム機に対するゲーム機用メダル補給シュートの取り付け状態が安定である、という効果を奏する。
【図面の簡単な説明】
【００１２】
【図１】ゲーム機に取り付けた状態で本考案に係るゲーム機用メダル補給シュートの一例を示す概略斜視図である。
【図２】胴部及び第２ブラケットの図示を省略したゲーム機用メダル補給シュートの正面斜視図である。
【図３】胴部及び第２ブラケットの図示を省略したゲーム機用メダル補給シュートの背面斜視図である。
【図４】胴部及び第２ブラケットの図示を省略したゲーム機用メダル補給シュートの正面図である。
【図５】胴部及び第２ブラケットの図示を省略したゲーム機用メダル補給シュートの側面図である。
【図６】胴部及び第２ブラケットの図示を省略したゲーム機用メダル補給シュートの背面図である。
【図７】胴部及び第２ブラケットの図示を省略したゲーム機用メダル補給シュートの平面図である。
【図８】胴部及び第２ブラケットの図示を省略したゲーム機用メダル補給シュートの底面図である。
【考案を実施するための形態】
【００１３】
図１には本考案に係るゲーム機用メダル補給シュートの一例をゲーム機に取り付けた状態で示す。図１において１はゲーム機用メダル補給シュート、２はゲーム機用メダル補給シュート１が背面２Ａに固定されたゲーム機、３はゲーム機２の内部に配置された払い出しホッパーである。ゲーム機用メダル補給シュート１には図示を省略するメダル補給システムから蛇腹管を通して搬送されるメダルが供給され、供給されたメダルはゲーム機用メダル補給シュート１を介して払い出しホッパー３に蓄積される。４は払い出しホッパー３に蓄積されたメダルである。
【００１４】
ゲーム機用メダル補給シュート１は、基箱１０、胴部１１、吐出案内部１２、第１ブラケット１３、及び第２ブラケット１４によって構成される。基箱１０は、複数部品が分解可能にネジ留めされて概略L字型に構成され、内部には貫通する通路が形成さる。胴部１１は円筒状に形成され、その下端部が基箱１０の通路の上端開口部に挿入され、基箱の通路に胴部１１が連通される。吐出案内部１２はスプリングによる付勢力に抗して上方に拡開可能に基箱１０の通路の他端開口部に設けられている。胴部１１には第２ブラケット１４がネジ留め又はスポット溶接等により固定、この第２ブラケット１４が第1ブラケット１３にネジ留めされ、これによって、胴部１１は第２ブラケット１４により第１ブラケット１３に固定される。基箱１０は前記第１ブラケット１３にネジ留め固定され、第１ブラケット１３がゲーム機２の背面に着脱可能にネジ留めされる。
【００１５】
ゲーム機用メダル補給シュートにおいて胴部１１及び第２ブラケット１４の図示を省略した正面斜視図を図２に示す、同じく背面斜視図を図３に示す。図４には胴部１１及び第２ブラケット１４の図示を省略したゲーム機用メダル補給シュートの正面図、図５にはその側面図、図６にはその背面図、図７にはその平面図、図８にはその底面図を示す。２は第１ブラケット１３をゲーム機２に固定するための図示を省略するネジの貫通孔である。３０は第１ブラケット１３に第２ブラケット１４を固定するための図示を省略するネジの貫通孔である。４０は第１ブラケット１３に基箱１０を固定するためのネジである。５０は基箱１０の組み立てに用いられているネジを代表的に示す。図２及び図５においてＡの部分に、吐出案内部１２をスプリングによる付勢力に抗して上方に拡開可能とする構成を例示する。
【００１６】
上記ゲーム機用メダル補給シュート１によれば以下の作用効果を奏する。基箱は複数部品が分解可能にネジ留めされて形成されるからコスト低減に資することができる。基箱は第1ブラケットに固定され胴部は第２ブラケットにより第1ブラケットに固定されるから胴部と基箱の結合状態は安定である。第1ブラケットがゲーム機本体にネジと留めされるからゲーム機に対するゲーム機用メダル補給シュートの取り付け状態が安定である。
【００１７】
以上本考案者によってなされた考案を実施形態に基づいて具体的に説明したが、本考案はそれに限定されるものではなく、その要旨を逸脱しない範囲において種々変更可能であることは言うまでもない。例えば基箱、胴部、吐出案内部、第１ブラケット、及び第２ブラケットの形状や構造、そしてネジ留めによる基箱の組み立て構造は上記実施の形態に限定されず適宜変更可能である。
【符号の説明】
【００１８】
１  ゲーム機用メダル補給シュート
２  ゲーム機
３  払い出しホッパー
４  メダル
１０  基箱
１１  胴部
１２  吐出案内部
１３  第１ブラケット
１４  第２ブラケット
【図１】
0003151322.tif 000003
【図２】
0003151322.tif 000004
【図３】
0003151322.tif 000005
【図４】
0003151322.tif 000006
【図５】
0003151322.tif 000007
【図６】
0003151322.tif 000008
【図７】
0003151322.tif 000009
【図８】
0003151322.tif 000010